(57)【特許請求の範囲】
【請求項１】
施設の出入口及び施設内のエレベータまたはベビーカー置き場の配置を示すフロアマップ情報と、施設内で利用する設備が登録された利用パターン情報と、施設の駐車場入口の混雑レベルを示す駐車場混雑情報と、ユーザが設定した混雑レベルとを記憶する記憶部と、  施設内に目的地点が設定されると、前記フロアマップ情報及び前記利用パターン情報に基づいて、前記利用パターン情報に登録された設備を経由して前記目的地点へ至る経路のうち、前記施設の出入口から前記目的地点までが最も近い経路を探索する経路探索部と、  前記経路探索部で探索された経路を誘導案内する経路案内部とを備え、  前記経路探索部は、施設内に目的地点が設定されると、前記利用パターン情報に登録された設備を経由して前記目的地点へ至る経路のうち、前記施設の出入口から前記目的地点までが最も近い経路を探索するとともに、探索した当該経路に繋がる前記施設の出入口に近い順に駐車場入口を特定し、  前記経路案内部は、前記駐車場混雑情報及び前記ユーザが設定した混雑レベルに基づいて、前記経路探索部に特定された駐車場入口のうち、前記ユーザが設定した混雑レベルを満たす駐車場入口を抽出するとともに、抽出した前記駐車場入口から移動可能な駐車場のうち、前記経路探索部で探索された前記経路に繋がる前記施設の出入口に最も近い駐車場から、前記経路探索部で探索された経路を誘導案内することを特徴とするナビゲーション装置。
【請求項２】
外部との通信で前記フロアマップ情報を取得する受信処理部と、
前記受信処理部で取得された前記フロアマップ情報を用いて、前記記憶部の内容を更新する更新処理部とを備えたことを特徴とする請求項１記載のナビゲーション装置。
【請求項３】
外部からの情報入力を受け付ける入力部と、
前記入力部で入力された設備を登録した利用パターン情報を生成して前記記憶部へ記憶する利用パターン情報設定部とを備えたことを特徴とする請求項１記載のナビゲーション装置。
【請求項４】
駐車場入口の混雑状況を計測して前記駐車場混雑情報を生成する通信機から前記駐車場混雑情報を取得する受信処理部と、
前記受信処理部で取得された前記駐車場混雑情報を用いて前記記憶部の内容を更新する更新処理部とを備えたことを特徴とする請求項１記載のナビゲーション装置。
【請求項５】
前記駐車場混雑情報に基づいて駐車場入口の混雑状況を色分け表示する混雑状況表示処理部を備えたことを特徴とする請求項１記載のナビゲーション装置。
【請求項６】
前記経路案内部は、前記フロアマップ情報及び自車位置に基づいて、前記施設の特定の出入口に自車が進入したと判定すると、ユーザへの警告を実行することを特徴とする請求項１記載のナビゲーション装置。
【発明の詳細な説明】
【技術分野】
【０００１】
この発明は、施設内の目的地点までの経路案内を行うナビゲーション装置に関するものである。
【背景技術】
【０００２】
近年、ナビゲーション端末の付加価値の増加のために、様々な機能が追加されている。その中で、ＶＩＣＳ（Vehicle Information and Communication System；登録商標、以下記載を省略する）情報を利用して自車周辺又は目的地周辺の駐車場の混雑状況を取得することで、空き駐車場をユーザに案内する機能が実現されている。また、ユーザの利便性の向上のため、駐車場の空き状況のみを案内するのではなく、駐車場内の駐車可能位置を検出して案内する技術もある。
【０００３】
例えば、特許文献１には、駐車区画の空き駐車スペースから、店舗内部の目的施設までの到達距離を考慮して目的施設への入場に適した駐車スペースを案内することで、降車後の利便性も考慮した経路案内を行う装置が開示されている。
【先行技術文献】
【特許文献】
【０００４】
【特許文献１】特開２００５−４４３１号公報
【発明の概要】
【発明が解決しようとする課題】
【０００５】
しかしながら、特許文献１に代表される従来の装置では、駐車位置から店舗内部の目的施設までの到達距離のみを経路選択の判断基準としているため、案内された駐車位置から店舗内部の目的施設までの距離が短くても、例えばエレベータやエスカレータ、階段等の目的施設までに利用しなければならない店舗内部の設備が経路から遠く離れている場合がある。この場合、結果として目的施設まで遠回りしなければならない。
特に、大型店舗では、様々な店舗内部の設備が備えられており、ユーザの利便性を考慮すると、店舗内部の設備を考慮し、かつ駐車場の混雑を考慮した経路案内が必要である。
【０００６】
この発明は、上記のような課題を解決するためになされたもので、施設内の目的施設へ到達するまでに利用する設備を考慮して目的施設までの適切な経路を提示し案内することができるナビゲーション装置を得ることを目的とする。
【課題を解決するための手段】
【０００７】  この発明に係るナビゲーション装置は、施設の出入口及び施設内のエレベータまたはベビーカー置き場の配置を示すフロアマップ情報と、施設内で利用する設備が登録された利用パターン情報と、施設の駐車場入口の混雑レベルを示す駐車場混雑情報と、ユーザが設定した混雑レベルとを記憶する記憶部と、施設内に目的地点が設定されると、前記フロアマップ情報及び前記利用パターン情報に基づいて、前記利用パターン情報に登録された設備を経由して前記目的地点へ至る経路のうち、前記施設の出入口から前記目的地点までが最も近い経路を探索する経路探索部と、前記経路探索部で探索された経路を誘導案内する経路案内部とを備え、前記経路探索部は、施設内に目的地点が設定されると、前記利用パターン情報に登録された設備を経由して前記目的地点へ至る経路のうち、前記施設の出入口から前記目的地点までが最も近い経路を探索するとともに、探索した当該経路に繋がる前記施設の出入口に近い順に駐車場入口を特定し、前記経路案内部は、前記駐車場混雑情報及び前記ユーザが設定した混雑レベルに基づいて、前記経路探索部に特定された駐車場入口のうち、前記ユーザが設定した混雑レベルを満たす駐車場入口を抽出するとともに、抽出した前記駐車場入口から移動可能な駐車場のうち、前記経路探索部で探索された前記経路に繋がる前記施設の出入口に最も近い駐車場から、前記経路探索部で探索された経路を誘導案内するものである。
【発明の効果】
【０００８】
この発明によれば、利用パターン情報に登録された設備を経由して目的地点へ至る経路のうち、施設の出入口から目的地点までが最も近い経路を探索し誘導案内するので、施設内の目的施設へ到達するまでに利用する設備を考慮して目的施設までの適切な経路を提示し案内することができるという効果がある。
【図面の簡単な説明】
【０００９】
【図１】この発明の実施の形態１によるナビゲーション装置及びその周辺構成を示す図である。
【図２】実施の形態１のナビゲーション装置の構成を示すブロック図である。
【図３】実施の形態１のナビゲーション装置による動作の流れを示すフローチャートである。
【図４】データ受信処理部による動作の流れを示すフローチャートである。
【図５】受信データ情報更新処理部による動作の流れを示すフローチャートである。
【図６】フロアマップテーブルの一例を示す図である。
【図７】駐車場入口混雑テーブルの一例を示す図である。
【図８】混雑レベルの定義の一覧を示す図である。
【図９】駐車場入口混雑表示の一例を示す図である。
【図１０】利用店内設備パターンテーブルの一例を示す図である。
【図１１】利用店内設備パターンの選択画面の一例を示す図である。
【図１２】登録済み利用店内設備パターンの選択画面の一例を示す図である。
【図１３】利用店内設備パターンの登録画面の一例を示す図である。
【図１４】駐車場入口検出処理部による動作の流れを示すフローチャートである。
【図１５】駐車場位置案内処理部による動作の流れを示すフローチャートである。
【図１６】駐車場の混雑状況及び利用を希望する店舗内設備を考慮した店内目的施設への経路案内画面の一例を示す図である。
【発明を実施するための形態】
【００１０】
以下、この発明をより詳細に説明するため、この発明を実施するための形態について、添付の図面に従って説明する。
実施の形態１．
図１は、この発明の実施の形態１によるナビゲーション装置及びその周辺構成を示す図である。図１において、実施の形態１におけるナビゲーション装置１が、駐車場入口から店舗等の施設内の照明装置や空調装置等を含まない設備（以下、店内設備と呼ぶ）を経由して、当該店舗等の施設内の目的施設（以下、店内目的施設と呼ぶ）までの経路を提示するために必要なシステム構成として、情報配信アンテナ２を有する路側無線通信機及び情報配信サーバ３を備える。
路側無線通信機は、例えば、ＤＳＲＣ（Dedicated Short Range Communication）等の狭域無線通信を行う情報配信アンテナ２を備えており、情報配信アンテナ２は、店舗等の施設の駐車場入口周辺の道路上に設置される。情報配信アンテナ２の通信エリアに進入した車両の車載機は、当該路側無線通信機から周辺道路や施設の情報が配信される。
また、路側無線通信機は、車載機との通信の度に駐車場入口から入場する車両の数をカウントして、図８で後述する混雑レベルで駐車場入口の混雑状況を示す駐車場混雑情報として保持する。なお、駐車場混雑情報は、路側無線通信機から、インターネットや無線通信ネットワーク等のネットワーク４に接続するサーバ装置へアップロードするようにしてもよい。
【００１１】
情報配信サーバ３は、ネットワーク４に接続するサーバ装置であり、店舗等の施設内の施設（以下、店内施設と呼ぶ）及び店内設備の配置を示すフロアマップ情報を管理する。また、情報配信サーバ３は、フロアマップ情報の内容に応じたバージョンを付与してフロアマップ情報を管理している。例えば、店内施設及び店内設備の配置が同じであれば、同一のバージョンが付与される。
【００１２】
ナビゲーション装置１は、図１で図示を省略したが、自車位置を取得する測位手段や、地図データベースから地図情報を取得する地図情報取得手段、自車のナビゲーション処理を実行する演算処理手段を備え、実施の形態１の特有な動作として、店内施設を目的地点とする経路が設定されると、当該店舗等の施設を特定するための情報（例えば、住所等）をキーに用いて、インターネット経由で当該店舗の駐車場混雑情報とフロアマップ情報とを検索し取得する。
また、ナビゲーション装置１では、ユーザが許容できる混雑レベルと利用を希望する店内設備を設定することができ、これら設定情報とインターネット経由で取得した駐車場混雑情報及びフロアマップ情報に基づいて、円滑にかつ最短でアクセスできる店内目的施設までの経路を案内する。
なお、ナビゲーション装置１では、ユーザが任意の混雑レベルを設定可能であるので、ユーザが希望する駐車場入口の混雑状況表示が可能であり、また店内目的施設へのアクセスに適した駐車スペース案内等の表示が可能である。
【００１３】
図２は、実施の形態１のナビゲーション装置の構成を示すブロック図である。図２において、ナビゲーション装置１は、データ受信処理部（受信処理部）５、受信データ情報更新処理部（更新処理部）６、ユーザ設定入力部（入力部）７、混雑レベル設定処理部８、データ保存部（記憶部）９、利用店内設備設定処理部（利用パターン情報設定部）１０、駐車場入口検出処理部（経路探索部）１１、駐車位置案内処理部（経路案内部）１２及び駐車場入口混雑状況表示処理部（混雑状況表示処理部）１３を備える。
【００１４】
データ受信処理部５は、自車が走行中の道路周辺の店舗又は店内目的施設が設定された店舗に関するフロアマップ情報及び駐車場混雑情報を、インターネットを経由して受信する構成部である。
受信データ情報更新処理部６は、データ受信処理部５で取得されたフロアマップ情報及び駐車場混雑情報を用いて、データ保存部９におけるフロアマップ情報保存データベース（ＤＢ）９ａ及び駐車場混雑情報保存データベース９ｂの内容を更新する構成部であり、地図データベース更新部６ａ及び駐車場混雑情報更新部６ｂを備える。
地図データベース更新部６ａは、データ受信処理部５から取得したフロアマップ情報を用いて、フロアマップ情報保存ＤＢ９ａの内容を更新し、駐車場混雑情報更新部６ｂは、データ受信処理部５から取得した駐車場混雑情報を用いて、駐車場混雑情報保存ＤＢ９ｂの内容を更新する。
【００１５】
ユーザ設定入力部７は、ユーザが設定情報を入力するための構成部であって、表示装置（図２において不図示）の画面に表示する設定画面に基づき、ハードキーやタッチパネル等の入力装置を用いて、駐車場入口の混雑レベル及び利用を希望する店内設備を設定するためのＨＭＩ（Human Machine Interface）を提供する。混雑レベル設定処理部８は、ユーザによって設定された混雑レベルに基づいて、データ保存部９における混雑レベル情報保存ＤＢ９ｃの内容を更新する構成部である。
【００１６】
データ保存部９は、駐車場入口の混雑状況、店内目的施設へ到達するまでに利用を希望する店内設備の位置、駐車場と店舗との出入口の位置関係を決定するためのデータが登録されるデータベースを記憶する記憶部であり、フロアマップ情報保存ＤＢ９ａ、駐車場混雑情報保存ＤＢ９ｂ、混雑レベル情報保存ＤＢ９ｃ及び店内設備利用パターン情報保存ＤＢ９ｄを備える。
フロアマップ情報保存ＤＢ９ａは、店舗内のフロアマップ情報が登録されるデータベースである。駐車場混雑情報保存ＤＢ９ｂは、駐車場入口の混雑状況を混雑レベルで規定する駐車場混雑情報が登録されたデータベースである。混雑レベル情報保存ＤＢ９ｃは、ユーザが設定した混雑レベルが登録されるデータベースである。店内設備利用パターン情報保存ＤＢ９ｄは、ユーザが利用を希望する店内設備の利用パターン（利用パターン情報）が登録されるデータベースである。例えば、店舗内のベビーカー置き場でベビーカーを利用した後にエレベータに利用する等、ユーザが利用を希望する店内設備が設定される。
【００１７】
利用店内設備設定処理部１０は、店内設備利用パターン情報保存ＤＢ９ｄから店内設備利用パターン情報を読み出すとともに、ユーザ設定入力部７で設定された店内設備の利用パターンを示す情報に基づいて、店内設備利用パターン情報保存ＤＢ９ｄの内容を更新する構成部である。
駐車場入口検出処理部（経路探索部）１１は、経路案内対象の店舗のフロアマップ情報及び利用店内設備パターンを用いて、利用店内設備パターンに登録された設備を経由して店内目的施設へ至る経路のうち、店舗入口（店舗の出入口）から店内目的施設までが最も近い経路を探索するとともに、当該経路の店舗入口を最適な店舗入口として特定し、特定した当該店舗入口にアクセス可能な駐車場の駐車場入口を検出する構成部である。
【００１８】
また、駐車位置案内処理部（経路案内部）１２は、各駐車場入口の混雑状況及びユーザが設定した混雑レベルに基づいて、駐車場入口検出処理部１１に検出された駐車場入口から所定の駐車場入口を抽出し、当該駐車場入口から移動可能な駐車場のうち、ユーザが利用を希望する店内設備を経由して店内目的施設に到達するまでの経路に繋がる店舗入口に最も近い駐車場を特定して、当該駐車場から店舗入口を介して店内目的施設に到達するまでの最適な経路を誘導案内する構成部である。駐車場入口混雑状況表示処理部１３は、データ保存部９の駐車場混雑情報保存ＤＢ９ｂから読み出した駐車場入口の混雑レベルを、混雑状況情報として表示装置に表示する構成部である。
【００１９】
次に動作について説明する。
図３は、実施の形態１のナビゲーション装置による動作の流れを示すフローチャートであり、この図に沿って店内施設を目的地点とする経路の設定処理の詳細を述べる。
先ず、ナビゲーション装置１のユーザ設定入力部７は、店内施設を目的地点として選択する店内目的施設選択処理と、ユーザが設定した混雑レベルを登録する混雑レベル設定処理とを選択する選択画面を表示装置に表示させ、ユーザの操作による選択を受け付ける（ステップＳＴ１）。ここで、ユーザ操作によって店内目的施設選択処理が選択されて、経路案内の対象となる店舗と当該経路の目的地点となる店内施設が選択されると（ステップＳＴ２）、ユーザ設定入力部７は、当該店舗及び施設をデータ受信処理部５へ通知する。これにより、データ受信処理部５は、当該店舗に関するフロアマップ情報の受信処理へ移行する。
【００２０】
図４は、データ受信処理部５による動作の流れを示すフローチャートであり、図３のステップＳＴ３の処理に相当する。
先ず、データ受信処理部５は、上記通知を受けると、インターネットの接続有無を判定する（ステップＳＴ１ａ）。ここで、インターネット接続がなければ（ステップＳＴ１ａ；ＮＯ）、データ受信処理部５は、処理を終了する。
一方、インターネット接続が可能であれば（ステップＳＴ１ａ；ＹＥＳ）、データ受信処理部５は、上記店舗の駐車場入口に設けられた情報配信アンテナ２を有する路側無線通信機（若しくは当該路側無線通信機から混雑状況を示す情報がアップロードされるサーバ装置）及び情報配信サーバ３に対して、受信データの有無を問い合わせる（ステップＳＴ２ａ）。なお、上述した受信データとは、上記路側無線通信機又はサーバ装置であれば、情報配信アンテナ２の通信エリアを通過する車両数等の、駐車場入口での混雑状況を示す駐車場混雑情報であり、情報配信サーバ３であれば、店内施設及び店内設備の配置を示すフロアマップ情報である。
【００２１】
受信データが存在しない場合（ステップＳＴ２ａ；ＮＯ）、データ受信処理部５は、処理を終了する。また、受信データが存在する場合（ステップＳＴ２ａ；ＹＥＳ）、データ受信処理部５は、路側無線通信機（若しくはサーバ装置）及び情報配信サーバ３から当該データ（バージョン情報を含む）をダウンロードしてデータ種別を判別する（ステップＳＴ３ａ）。続いて、データ受信処理部５は、ダウンロードしたデータから経路案内対象の店舗のフロアマップ情報を判別すると、当該フロアマップ情報を受信データ情報更新処理部６の地図データベース更新部６ａへ出力する（ステップＳＴ４ａ）。一方、データ受信処理部５は、ダウンロードしたデータから経路案内対象の店舗の駐車場の混雑状況を示す駐車場混雑情報を判別すると、当該駐車場混雑情報を、受信データ情報更新処理部６の駐車場混雑情報更新部６ｂへ出力する（ステップＳＴ５ａ）。
【００２２】
図３の説明に戻る。ステップＳＴ３においてデータ受信処理が完了すると、受信データ情報更新処理部６によって受信データ情報更新処理が実行される（ステップＳＴ４）。
図５は、受信データ情報更新処理部による動作の流れを示すフローチャートであり、図３のステップＳＴ４の処理に相当する。地図データベース更新部６ａは、データ受信処理部５から入力したデータのバージョン情報とデータベース９ａに格納される既存データのバージョン情報とを照合してデータベース更新の要否を判別する（ステップＳＴ１ｂ）。更新対象データの種別がフロアマップ情報である場合（ステップＳＴ２ｂ；フロアマップ）、地図データベース更新部６ａは、データ受信処理部５から入力したデータを用いて、データ保存部９におけるフロアマップ情報保存ＤＢ９ａの内容を更新する（ステップＳＴ３ｂ）。なお、フロアマップ情報保存ＤＢ９ａには、店舗等の施設毎のフロアマップ情報がテーブルデータ（以下、フロアマップテーブルと呼ぶ）として登録される。
【００２３】
図６は、フロアマップテーブルの一例を示す図である。図６に示すように、各施設のフロアマップ情報は、施設毎のフロアマップ情報を特定するための“施設Ｎｏ．”、“施設名”、“フロアマップバージョン”、施設の駐車場入口の数を示す“駐車場入口数”、施設内の各種設備の数を示す“店内設備種類数”、設備名及びその識別番号Ｅｑ１，Ｅｑ２，Ｅｑ３，・・・が設定されたフロアマップ情報レコードから構成される。
【００２４】
地図データベース更新部６ａは、“施設Ｎｏ．”を用いて、更新対象のフロアマップ情報レコードをフロアマップテーブルから検索して読み出し、当該フロアマップ情報レコードのフロアマップバージョンが、入力データとの間で相異すれば、当該フロアマップ情報レコードの更新処理を実施する。なお、更新対象のフロアマップ情報レコードが存在しない場合は、新たに“施設Ｎｏ．”を設けて、当該フロアマップ情報レコードを追加する。地図データベース更新部６ａは、上述のようにしてフロアマップ情報レコードの内容を更新すると、更新後のレコードをフロアマップテーブルに登録する（ステップＳＴ４ｂ）。
【００２５】
一方、更新対象データの種別が駐車場混雑情報である場合（ステップＳＴ２ｂ；駐車場混雑情報）、駐車場混雑情報更新部６ｂは、駐車場混雑情報保存ＤＢ９ｂの駐車場混雑情報を、対応する駐車場入口毎に特定し、データ受信処理部５から入力したデータを用いて更新を開始する（ステップＳＴ５ｂ）。なお、駐車場混雑情報保存ＤＢ９ｂには、駐車場入口毎の駐車場混雑情報がテーブルデータ（以下、駐車場入口混雑テーブルと呼ぶ）として登録される。
【００２６】
図７は、駐車場入口混雑テーブルの一例を示す図である。図７に示すように、各施設の駐車場入口毎の駐車場混雑情報は、施設毎のフロアマップ情報を特定するための“施設Ｎｏ．”、施設の駐車場入口の数を示す“駐車場入口数”、ユーザが許容する混雑レベル値を設定する“混雑レベル”、各駐車場入口の識別番号Ｉｎ１〜Ｉｎ５及びその混雑レベルが設定された駐車場混雑情報レコードから構成される。なお、上記“混雑レベル”には、後述するように、ユーザが選択した混雑レベルが設定される。
【００２７】
駐車場混雑情報更新部６ｂは、更新対象の駐車場混雑情報レコードを、“施設Ｎｏ．”を用いて駐車場入口混雑テーブルから検索して読み出し、当該駐車場入口混雑レコードの更新処理を駐車場入口毎に実施する（ステップＳＴ６ｂ）。なお、更新対象の駐車場混雑情報レコードが存在しない場合は、新たに“施設Ｎｏ．”を設けて、駐車場混雑情報レコードを追加する。駐車場入口毎の更新処理が完了すると（ステップＳＴ７ｂ）、駐車場混雑情報更新部６ｂは、ステップＳＴ４ｂに移行して、更新後のレコードを駐車場入口混雑テーブルに登録する。なお、ステップＳＴ４ｂは、図３のステップＳＴ７に対応する。
【００２８】
図３において、ステップＳＴ１で混雑レベルの設定が選択されると、ユーザ設定入力部７は、表示装置に混雑レベルの選択画面を表示し、ユーザが許容する混雑レベルの選択を促す。図８は、混雑レベルの定義の一覧を示す図である。ユーザは、図８に示すような混雑レベルの定義及びその選択画面を参照して、ユーザ設定入力部７を用いて混雑レベルを選択する（ステップＳＴ５）。選択された混雑レベルを示す情報は、ユーザ設定入力部７から混雑レベル設定処理部８へ入力される。
混雑レベル設定処理部８は、ユーザ設定入力部７から入力した混雑レベルを、データ保存部９における混雑レベル情報保存ＤＢ９ｃに格納するとともに、駐車場混雑情報保存ＤＢ９ｂの駐車場入口混雑テーブルにおける対応する施設のレコードを読み出し、当該レコードの“混雑レベル”欄に設定する（ステップＳＴ６）。この後、混雑レベル設定処理部８は、ユーザが設定した混雑レベルを含む駐車場混雑情報レコードを、駐車場入口混雑テーブルに登録する（ステップＳＴ７）。
【００２９】
上述したステップＳＴ１からステップＳＴ７までの処理が、店内施設を目的地点とする経路設定で利用されるデータの保存処理に相当する。なお、このデータ保存処理は、必ずしも店内施設を目的地点とする経路を設定した後に実行されるものではない。例えば、経路設定の前処理として、店舗等の施設のみを周期的又はユーザが希望する時点で設定し、当該施設のフロアマップ情報及び駐車場混雑情報を取得してデータ保存しても構わない。
【００３０】
データ保存処理が完了した段階で、ユーザ設定入力部７は、店内目的施設の設定の有無を確認する（ステップＳＴ８）。ここでは、データ保存部９にフロアマップ情報及び駐車場混雑情報が格納されているか否かに基づいて、店内施設が目的地点となる経路の設定の有無が判断される。店内目的施設の設定がない場合（ステップＳＴ８；ＮＯ）、ナビゲーション装置１は、店内施設を目的地点とする経路の設定がないものと判断して処理を終了する。
【００３１】
また、店内目的施設の設定がある場合（ステップＳＴ８；ＹＥＳ）、ユーザ設定入力部７は、駐車場入口混雑表示の操作を受け付ける（ステップＳＴ９）。例えば、店内目的施設の設定があってから所定の期間、上記操作を受け付けるか、自車位置が当該店舗に所定の距離だけ接近した場合に所定の期間、上記操作を受け付ける。
ここで、駐車場入口混雑表示を指示する操作を受けると（ステップＳＴ９；ＹＥＳ）、ユーザ設定入力部７は、その旨を駐車場入口混雑状況表示処理部１３へ通知する。
駐車場入口混雑状況表示処理部１３は、上記通知を受けると、データ保存部９における駐車場混雑情報保存ＤＢ９ｂから、経路案内対象の店舗の駐車場に関する駐車場混雑情報レコードを読み出し、さらに図２で不図示の地図データベースから読み出した当該店舗の地図データを用いて、当該店舗の各駐車場の混雑状況を視覚化した画像を表示装置に表示する（ステップＳＴ１０）。
【００３２】
図９は、駐車場入口混雑表示の一例を示す図である。図９の例は、図７の駐車場混雑情報レコードに対応する店舗の駐車場入口混雑表示であり、５つの駐車場入口の混雑レベルが、色分けして表示されている。これら駐車場入口の各混雑レベルは、駐車場混雑情報として直前に取得されたものであり、ユーザは、この表示画面を参照することで、各駐車場入口の混雑状況を的確に視認できる。
なお、上述のような駐車場入口混雑表示が実行された場合、ユーザが、店舗内の目的施設までの経路の最適化よりも、駐車場入口の混雑状況のみを重視した経路案内を希望していると判断して処理を終了する。
【００３３】
一方、駐車場入口混雑表示を指示する操作がなかった場合（ステップＳＴ９；ＮＯ）、ユーザ設定入力部７は、その旨を利用店内設備設定処理部１０へ通知する。
利用店内設備設定処理部１０は、上記通知を受けると、ユーザとの間で対話的に当該店舗内で利用を希望する設備の設定処理を実行する（ステップＳＴ１１）。
店内設備利用パターン情報保存ＤＢ９ｄには、登録した店舗毎の設備の利用パターンがテーブルデータ（以下、利用店内設備パターンテーブルと呼ぶ）として登録されている。図１０は、利用店内設備パターンテーブルの一例を示す図である。図１０に示すように、店内設備の利用パターンは、利用店内設備パターンテーブルに登録した利用パターンを特定するための“登録パターン名”、店舗（施設）を特定するための“施設Ｎｏ．”、店内の各設備の識別番号Ｅｑ１，Ｅｑ２，Ｅｑ３，・・・及びその利用有無が設定された利用パターン情報レコードから構成される。“登録パターン名”は、ユーザが任意に設定することができる。
【００３４】
先ず、利用店内設備設定処理部１０は、店内設備利用パターン情報保存ＤＢ９ｄに予め登録された店内設備の利用パターンを呼び出すか、ユーザが任意に利用設備を設定した利用パターンを登録する処理のいずれかを選択させる。
図１１は、利用店内設備パターンの選択画面の一例を示す図である。利用店内設備設定処理部１０は、図１１に示すような選択画面を表示装置に表示し、ユーザは、ユーザ設定入力部７を用いて、“パターン呼出”ボタン又は“パターン登録”ボタンを操作することで、選択を実行する。
【００３５】
“パターン呼出”ボタンが操作された場合、ユーザ設定入力部７は、その旨を利用店内設備設定処理部１０へ通知する。利用店内設備設定処理部１０は、当該通知を受けると、店内設備利用パターン情報保存ＤＢ９ｄの利用店内設備パターンテーブルから、対応する店舗に関する利用パターン情報レコードを読み出して、登録済み利用店内設備パターンの選択画面を表示装置に表示する。
図１２は、登録済み利用店内設備パターンの選択画面の一例を示す図である。図１１に示す“パターン呼出”ボタンが操作されると、利用店内設備設定処理部１０は、登録済み利用店内設備パターンの選択画面として、図１０に示した“登録パターン名”が表記されたボタンで構成されたリストを表示装置に表示し、ユーザが希望する利用パターンを選択させる。
【００３６】
一方、図１１に示す“パターン登録”ボタンが操作されるか、若しくは、図１２に示す“編集する”ボタンが操作されると、利用店内設備設定処理部１０は、利用店内設備パターンの登録画面を表示装置に表示して、ユーザとの間で対話的に店内設備の利用パターンの登録処理を実行する。
図１３は、利用店内設備パターンの登録画面の一例を示す図である。図１３に示す例では、登録パターン名となり得る“パターン名称入力”欄、各設備の選択を行うチェックボックス、登録の可否を示す“登録する”ボタン及び“登録しない”ボタンが表示される。ユーザは、ユーザ設定入力部７を用いて、利用を希望する店内設備のチェックボックスをチェックし、“パターン名称入力”に利用パターン名を入力してから、“登録する”ボタンを操作すると、当該入力情報が利用店内設備設定処理部１０へ出力される。利用店内設備設定処理部１０は、当該情報から利用パターン情報レコードを作成して、利用店内設備パターンテーブルに登録する。
【００３７】
図３の説明に戻る。上述のようにして利用店内設備設定処理が完了すると、駐車場入口検出処理部１１が、利用したい店内設備を円滑に経由し、店内目的施設にアクセス可能な駐車場入口順を検出する（ステップＳＴ１２）。
図１４は、駐車場入口検出処理部１１による動作の流れを示すフローチャートである。先ず、駐車場入口検出処理部１１は、利用店内設備設定処理部１０によって利用店内設備パターンテーブルから読み出された経路案内対象の店舗に関する利用店内設備パターンを取得する（ステップＳＴ１ｃ）。次に、駐車場入口検出処理部１１は、フロアマップ情報保存ＤＢ９ａのフロアマップテーブルから、経路案内対象の店舗に関するフロアマップ情報を読み出す（ステップＳＴ２ｃ）。
【００３８】
駐車場入口検出処理部１１は、利用店内設備パターン及びフロアマップ情報を用いて、経路案内対象の店舗の各入口から、利用者店内設備パターンに設定されている店内設備を経由して店内目的施設に至るまでの全ての経路を算出する（ステップＳＴ３ｃ〜ステップＳＴ５ｃ）。続いて、駐車場入口検出処理部１１は、算出結果の経路を、店内設備を円滑に利用でき、かつ店舗の入口から店内目的施設までの距離が近い順に並び替えることで、店舗の入口から店内目的施設までが最短の経路を探索し、当該経路における店舗の入口（以下、最適店内入口と呼ぶ）を決定する（ステップＳＴ６ｃ）。
【００３９】
ステップＳＴ７ｃからステップＳＴ９ｃまでにおいて、駐車場入口検出処理部１１は、当該店舗の地図データを用いて、ステップＳＴ６ｃで決定された最適店内入口にアクセス可能な駐車場入口を全て抽出し、抽出結果の駐車場入口を、駐車場入口から最適店内入口までの距離が近い順に並び替える。最後に、駐車場入口検出処理部１１は、最適店内入口に近い順にリストアップした駐車場入口を示す情報を駐車位置案内処理部１２へ出力する（ステップＳＴ１０ｃ）。
【００４０】
ステップＳＴ１３において、駐車位置案内処理部１２は、駐車場入口検出処理部１１で得られた最適店内入口にアクセス可能な駐車場入口のリスト、及び、駐車場混雑情報保存ＤＢ９ｂの駐車場入口混雑テーブルから読み出した経路案内対象の店舗の駐車場に関する駐車場混雑情報レコードを用いて、駐車場入口から店内目的施設へ到達する最適な経路を決定し表示装置へ表示する。当該処理の詳細を以下に述べる。
【００４１】
図１５は、駐車場位置案内処理部１２による動作の流れを示すフローチャートである。
先ず、駐車位置案内処理部１２は、駐車場入口検出処理部１１によって決定された最適店内入口にアクセス可能な駐車場入口のリストを取得する（ステップＳＴ１ｄ）。
次に、駐車位置案内処理部１２は、駐車場混雑情報保存ＤＢ９ｂの駐車場入口混雑テーブルから経路案内対象の店舗の駐車場に関する駐車場混雑情報レコードを読み出し、当該駐車場混雑情報レコードから、ユーザが設定した混雑レベルを抽出する（ステップＳＴ２ｄ）。ここでは、図７に示した駐車場混雑情報レコードの“混雑レベル”欄に設定された値が抽出される。
【００４２】
続いて、駐車位置案内処理部１２は、リストアップされた最適店内入口にアクセス可能な各駐車場入口について、駐車場混雑情報レコードから混雑レベルをそれぞれ抽出して、抽出結果の混雑レベルとユーザが設定した混雑レベルとを比較し、ユーザが設定した混雑レベル以下の駐車場入口を抽出する（ステップＳＴ４ｄ〜ステップＳＴ５ｄ）。
次に、駐車位置案内処理部１２は、当該店舗の地図データを用いて、上述のようにして特定した駐車場入口から移動可能な駐車場をそれぞれ抽出し、抽出結果の駐車場を、最適店内入口までの距離が近い順に並び替える（ステップＳＴ７ｄ〜ステップＳＴ９ｄ）。
【００４３】
最後に、駐車位置案内処理部１２は、最適店内入口までの距離が近い順に並び替えた駐車場のうち、駐車場入口から店内目的施設に到達するまでの距離が最も近い経路を最適な経路として特定し、表示装置に表示して案内を行う（ステップＳＴ１０ｄ）。
図１６は、駐車場の混雑状況及び利用を希望する店内設備のアクセスを考慮した店内目的施設への経路案内画面の一例を示す図である。図１６の例では、ユーザが、駐車場の混雑レベルとして“４”を設定し、店内設備の利用パターンに“ベビーカー置き場”及び“エレベータ”が利用を希望する店内設備として設定され、店舗の２階の施設が店内目的施設とした場合を示している。
【００４４】
ユーザが設定した混雑レベルのみを考慮して駐車場入口を特定した場合には、当該混雑レベル以下の駐車場入口として駐車場入口（１）、（３）〜（５）が抽出されるが、ユーザが利用を希望する店舗内設備を考慮すると、利用パターンに設定された店内設備を経由して店内目的施設へ到達する経路が最短の経路における店舗入口（最適店舗入口）にアクセス可能な駐車場の駐車場入口（３）が特定される。これにより、図１６に示すように、駐車場入口（３）から、最適店舗入口、ベビーカー置き場及びエレベータを経由して店内目的施設へ到達する経路が表示装置に表示される。この案内に従うことで、ユーザは、最適店舗入口に最も近い駐車場に自車を駐車し、最適店舗入口からベビーカー置き場でベビーカーを利用した後、エレベータで２階まで移動し、所望の店内目的施設へ到達することができる。
【００４５】
なお、図１６の例では、駐車場入口（３）から、最適店舗入口、ベビーカー置き場及びエレベータを経由して店内目的施設へ到達する経路を表示装置に表示して案内を行う場合を示したが、駐車位置案内処理部１２が、駐車場入口（３）、最適店舗入口、ベビーカー置き場、エレベータの各位置を基準として音声による案内を行っても構わない。
【００４６】
以上のように、この実施の形態１によれば、施設の出入口及び施設内の設備の配置を示すフロアマップ情報、及び施設内で利用する設備が登録された利用パターンを記憶するデータ保存部９と、施設内に目的地点が設定されると、フロアマップ情報及び利用パターンに基づいて、利用パターンに登録された設備を経由して目的地点へ至る経路のうち、施設の出入口から目的地点までが最も近い経路を探索する駐車場入口検出処理部１１と、駐車場入口検出処理部１１で探索された経路を誘導案内する駐車位置案内処理部１２とを備える。このように構成することで、施設内の目的施設へ到達するまでに利用する設備を考慮して目的施設までの適切な経路を提示し案内することができる。
【００４７】
また、この実施の形態１によれば、外部との通信でフロアマップ情報を取得するデータ受信処理部５と、データ受信処理部５で取得されたフロアマップ情報を用いて、データ保存部９の内容を更新する受信データ情報更新処理部６とを備えるので、施設のフロアマップに変更があっても、新たなフロアマップで更新することができる。
【００４８】
さらに、この実施の形態１によれば、外部からの情報入力を受け付けるユーザ設定入力部７と、ユーザ設定入力部７で入力された設備を登録した利用パターンを生成してデータ保存部９へ記憶する利用店内設備設定処理部１０とを備えるので、ユーザが利用を希望する店内設備を利用パターンに登録することができる。
【００４９】
さらに、この実施の形態１によれば、データ保存部９が、施設の駐車場入口の混雑レベルを示す駐車場混雑情報及びユーザが設定した混雑レベルをさらに記憶し、駐車場入口検出処理部１１が、施設内に目的地点が設定されると、利用パターンに登録された設備を経由して目的地点へ至る経路のうち、施設の出入口から目的地点までが最も近い経路を探索するとともに、探索した当該経路に繋がる施設の出入口（最適店内入口）に近い順に駐車場入口を特定し、駐車位置案内処理部１２が、駐車場混雑情報及びユーザが設定した混雑レベルに基づいて、駐車場入口検出処理部１１に特定された駐車場入口のうち、ユーザが設定した混雑レベルを満たす駐車場入口を抽出するとともに、抽出した駐車場入口から移動可能な駐車場のうち、最適店内入口に最も近い駐車場から、駐車場入口検出処理部１１で探索された経路を誘導案内する。
このように構成することで、駐車場の混雑状況及び施設内の目的施設へ到達するまでに利用する設備を考慮して店内目的施設までの適切な経路を提示し案内することができる。
【００５０】
さらに、この実施の形態１によれば、駐車場入口の混雑状況を計測して駐車場混雑情報を生成する路側無線通信機から駐車場混雑情報を取得するデータ受信処理部５と、データ受信処理部５で取得された駐車場混雑情報を用いて、データ保存部９の内容を更新する受信データ情報更新処理部６とを備えるので、リアルタイムの混雑状況を取得することができる。
【００５１】
さらに、この実施の形態１によれば、駐車場混雑情報に基づいて駐車場入口の混雑状況を色分け表示する駐車場入口混雑状況表示処理部１３を備えたので、ユーザが駐車場入口の混雑状況を容易に視認できる。
【００５２】
なお、上記実施の形態１において、緊急搬送口等の一般車両出入口以外の特定の出入口の位置情報を、フロアマップ情報としてフロアマップ情報保存ＤＢ９ａに格納しておき、駐車位置案内処理部１２が、経路の有無に関係なく、自車位置及び上記特定の出入口の位置情報に基づいて、自車が上記特定の出入口へ進入したと判定した場合、図２において不図示の警告装置を制御して、音声や画像表示でユーザへ警告するように構成してもよい。
【００５３】
この発明に係るナビゲーション装置は、店舗等の内部の目的施設へ到達するまでに利用する設備の位置、駐車場と店舗との出入口の位置関係を考慮して、駐車場から店舗等の内部施設までの適切な経路を提示し案内できることから、車両に搭載するカーナビゲーション装置に好適である。
【図１】
0005420079.tif 000002
【図２】
0005420079.tif 000003
【図３】
0005420079.tif 000004
【図４】
0005420079.tif 000005
【図５】
0005420079.tif 000006
【図６】
0005420079.tif 000007
【図７】
0005420079.tif 000008
【図８】
0005420079.tif 000009
【図９】
0005420079.tif 000010
【図１０】
0005420079.tif 000011
【図１１】
0005420079.tif 000012
【図１２】
0005420079.tif 000013
【図１３】
0005420079.tif 000014
【図１４】
0005420079.tif 000015
【図１５】
0005420079.tif 000016
【図１６】
0005420079.tif 000017